(57)【要約】【課題】表示面が上方に向けられる表示装置とこれに接続される情報処理装置がスペース的にコンパクトに収められるテーブル装置を得ること。【解決手段】この一例のテーブル装置は、表示装置を表示面が上方に向けられた状態で収納可能な表示装置収納部を有する天板と、この天板を下から支える脚部と、上記表示装置収納部の下方に略水平に設けられた支持棒と、前記支持棒に上部を保持され、情報処理装置を収納する情報処理装置収納ケースと、を有する。【選択図】図１
2015024082.tif 000002
【特許請求の範囲】
【請求項１】
表示装置を表示面が上方に向けられた状態で収納可能な表示装置収納部を有する天板と、
この天板を下から支える脚部と、
上記表示装置収納部の下方に略水平に設けられた支持棒と、
前記支持棒に上部を保持され、情報処理装置を収納する情報処理装置収納ケースと、
を有することを特徴とするテーブル装置。
【請求項２】
前記支持棒は、２本であり、前記脚部に固定されていることを特徴とする請求項１記載のテーブル装置。
【請求項３】
前記情報処理装置収納ケースは、上部に設けられた係止部により前記支持棒方向にスライド可能に係止されて成ることを特徴とする請求項１又は２記載のテーブル装置。
【請求項４】
表示装置を表示面が上方に向けられた状態で収納し、この表示装置の前記表示面がこの上面と略同じ平面となるように調整される表示装置収納部を有する天板と、
この天板の両端付近に設けられ前記天板を下から支える一対の脚部と、
この一対の脚部に平行に設けられ上記表示装置収納部の下方に略水平に設けられた一対の支持棒と、
前記支持棒に、上部を保持され、情報処理装置を横から収納可能に保持する情報処理装置収納ケースと、
を有することを特徴とするテーブル装置。
【請求項５】
前記情報処理装置収納ケースは、上部に設けられた係止部により前記支持棒の方向にスライド可能に係止されて成ることを特徴とする請求項４記載のテーブル装置。
【発明の詳細な説明】
【技術分野】
【０００１】
本発明の実施形態は、パソコン等情報処理表示装置を保持することが可能なテーブル装置に関する。
【背景技術】
【０００２】
従来、パーソナルコンピュータ等の情報処理装置は表示装置と一体とされ情報処理表示装置とするか、或いはケーブルにより接続され、表示装置とは別に台上に載置されることが多かった。
【０００３】
近年、文書管理などの表示制御装置として、テーブル構造の表示制御装置がある。このような装置ではタッチ入力が可能な表示装置をテーブルに嵌め込んで上方から見えるようにすることが便利である。しかし、表示装置の表示面を上面に向ける表示装置では、これに接続される情報処理装置を表示装置の横に置いて接続することになるが、そうすると広いスペースが必要となる。
【先行技術文献】
【特許文献】
【０００４】
【特許文献１】特開２００６−４０２７１号公報
【発明の概要】
【発明が解決しようとする課題】
【０００５】
本発明の課題は、表示面が上方に向けられる表示装置とこれに接続される情報処理装置がスペース的にコンパクトに収められるテーブル装置を得ることである。
【課題を解決するための手段】
【０００６】
一例のテーブル装置は、表示装置を表示面が上方に向けられた状態で収納可能な表示装置収納部を有する天板と、この天板を下から支える脚部と、上記表示装置収納部の下方に略水平に設けられた支持棒と、前記支持棒に上部を保持され、情報処理装置を収納する情報処理装置収納ケースと、を有することを特徴とする。
【図面の簡単な説明】
【０００７】
【図１】一実施形態のテーブル装置で、情報処理装置が挿入された状態を下面から斜め上方向に見た図である。
【図２】一実施形態のテーブル装置を斜め上方向から見た図である。
【図３】一実施形態のテーブル装置を、天板を取り除いた状態で上斜め方向から見た図である。
【図４】一実施形態のテーブル装置に表示装置及び情報処理装置を収納した状態の要部の断面を示す図である。
【発明を実施するための形態】
【０００８】
以下、本発明の実施の形態について、図面を用いて説明する。この実施形態のテーブル装置の下斜め方向から見た図を図１に示す。この図では、情報処理装置が保持ケースに挿入された状態を示している。一実施形態のテーブル装置を、斜め上方向から見た図を図２に示す。また、このテーブル装置の上部の天板を外した状態の斜視図を図３に示す。
【０００９】
このテーブル装置１０は、略中央に表示装置収納部１１を有する長方形状の天板１２と、この天板１２の両端付近を支える一対の「エ」状の脚部１３ａ，１３ｂと、この脚部１３ａ，１３ｂに並行に設けられた２本の支持棒１４ａ，１４ｂと、この２本の支持棒に連結される情報処理装置収納ケース１５と、を有する。
【００１０】
脚部１３ａ，１３ｂは天板１２の両端に設けられ天板１２を支える上脚部２１ａ，２１ｂと、地面に接する下脚部２２ａ，２２ｂと、上脚部と下脚部を連結する中脚部２３ａ，２３ｂとを有する。脚部１３ａ，１３ｂの上脚部２１ａ，２１ｂは下に湾曲した形状をして、その両端で天板１２を固定支持している。また、下脚部２２ａ，２２ｂは、直線形状をしており、全面で地面に接している。
【００１１】
表示装置収納部１１には、タッチにより入力可能な表示装置２４、例えばタッチディスプレイが収納される。この表示装置２４は、表示面を上面に向けており、そのコネクタ部はケーブル２５により情報処理装置２６に接続される。
【００１２】
情報処理装置２６は、図１で矢印Ｂに示す方向に、情報処理装置収納ケース１５に収納される。情報処理装置２６と表示装置２４は例えばいわゆるパーソナルコンピュータを構成し、図示していないが情報処理装置２６には、例えば、キーボードやマウスにより情報が入力される入力部と、予めプログラムなどが記憶されているＲＯＭ部と、一時的にデータが記憶されるＲＡＭ部と、ＲＡＭ部などに記憶されているデータの演算処理を行う演算部と、演算部における演算処理の結果などを印刷する印刷部などを有する。
【００１３】
図１において矢印Ｃ方向に見た断面図を、図４に示す。情報処理装置収納ケース１５は、直方体の外形をしており、この中に、図１矢印Ｂ方向に情報処理装置２６が収納される。
【００１４】
情報処理装置収納ケース１５は、上方四隅に設けられた係止部２７ａ，２７ｂ，２７ｃ，２７ｄにおいて略水平に設けられた２本の支持棒１４ａ，１４ｂに吊るされた状態となっており、図３のＤに示す矢印方向、すなわち支持棒の方向で左右にスライド可能な状態で支持されている。情報処理装置収納ケース１５は中に収納される情報処理装置２６の放熱のために上面、下面に貫通孔が設けられている。
【００１５】
表示装置収納部１１は、表示装置２４が表示面を上にして収納される。またこの表示面は、天板１２の上面とほぼ同じ平面になるようにされる。図４では詳しく示していないが、具体的には、表示装置収納部１１の底面に例えば四隅に下方から上方に向けたネジを有して、表示装置２４の底面の高さを調節できるようにする。このようにして、表示装置２４の表示面を天板の上面に略同じになるようにすることができる。
【００１６】
この実施形態のテーブル装置への情報処理装置及び表示装置の装着方法を説明する。
【００１７】
まず、用いる情報処理装置２６を、天板１２の下部に設けられている情報処理装置収納ケース１５に収納する。収納した後、この情報処理装置２６が動かないように、例えば下からねじ止めする。
【００１８】
次に、天板１２に設けられている表示装置収納部１１にその表示面が上になるように表示装置２４を収納する。表示装置収納部１１の下面に設けられている調整ネジにより４隅の高さを調整し、天板１２の上面と表示装置２４の表示面が面一になるように高さを調整する。そして、情報処理装置に接続されている表示装置２４のケーブル２５を情報処理装置収納ケース１５から引き出し、上方にある表示装置２４のコネクタに接続する。
【００１９】
このとき、ケーブル２５が短いならば、情報処理装置収納ケース１５を支持棒１４ａ，１４ｂ方向にスライドさせて、表示装置２４と情報処理装置２６を接続する。
【００２０】
このように、情報処理装置２６及び表示装置２４をテーブル装置１０へ装着した後、情報処理装置２６及び表示装置２４の電源を入れて、動作を開始させる。表示装置２４の画面上で例えば手でタッチすることにより、種々の制御を表示装置２４から情報処理装置２６に行い、結果を表示装置２４の画面上に表示させることが可能となる。
【００２１】
上記実施形態では、表示装置としてタッチパネル式のディスプレイを用いた場合について説明した。しかし、本発明のテーブル装置は入力機能のない表示装置を収納するものであってもよい。
【００２２】
上記実施形態において脚部は「エ」字形状をするものを用いていた。しかし、本発明はこれに限られず、例えば天板の四隅に各々１脚ずつ脚部を設けた構造の脚部であってもよい。
【００２３】
上記実施形態において、脚部の下脚部は全面で地面に接していた。しかし、この下脚部の下に方向自在のローラを付けることができる。このようにすれば、このテーブル装置に表示装置及び情報処理装置を収納したまま、容易に移動させることができる利点がある。
【００２４】
上記実施形態によれば、表示面が上方に向けられる表示装置とこれに接続される情報処理装置がスペース的にコンパクトに収められるテーブル装置を得ることができる効果がある。
【００２５】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１０・・・・テーブル装置
１１・・・・表示装置収納部
１２・・・・天板
１３ａ，１３ｂ・・・・脚部
１４ａ，１４ｂ・・・・支持棒
１５・・・・情報処理装置収納ケース
２４・・・・表示装置
２５・・・・ケーブル
２６・・・・情報処理装置
２７ａ，２７ｂ，２７ｃ，２７ｄ・・・・係止部
【図１】
2015024082.tif 000003
【図２】
2015024082.tif 000004
【図３】
2015024082.tif 000005
【図４】
2015024082.tif 000006